(57)【要約】【課題】保熱時間の長大化を図ることができる収容庫を提供すること。【解決手段】断熱構造の直方体を成し、かつ下部に配設されたキャスタ１１により移動可能な収容庫本体１と、収容庫本体１の内部の内部雰囲気を蓄冷剤に蓄えられた熱により所望の温度に調整することにより、収容された商品を所定の温度に保持する蓄熱器４０とを備えた収容庫であって、収容庫本体１の内部において商品を収容する収容域３０を画成するとともに、収容域３０と少なくとも２つの収容庫本体１の内面との間に収容域３０に連通する空気通路３３，３４，３５を画成し、かつ収容域３０では蓄冷剤により所望の温度に調整された空気が商品に向けて通過することを許容する一方、空気通路３３，３４，３５では商品と熱交換を行った空気が蓄冷剤に向けて通過することを許容するものである。【選択図】図１
2014206289.tif 000002
【特許請求の範囲】
【請求項１】
断熱構造の直方体を成し、かつ下部に配設されたキャスタにより移動可能な収容庫本体と、
前記収容庫本体の内部の内部雰囲気を蓄熱剤に蓄えられた熱により所望の温度に調整することにより、収容された商品を所定の温度に保持する保熱手段と
を備えた収容庫であって、
前記収容庫本体の内部において前記商品を収容する収容域を画成するとともに、該収容域と少なくとも２つの前記収容庫本体の内面との間に該収容域に連通する空気通路を画成し、かつ前記収容域では前記蓄熱剤により所望の温度に調整された空気が前記商品に向けて通過することを許容する一方、前記空気通路では商品と熱交換を行った空気が前記蓄熱剤に向けて通過することを許容する風洞構造を備えたことを特徴とする収容庫。
【請求項２】
前記風洞構造は、前記商品を載置させるためのものであって、かつ前記収容域にて前記商品と熱交換を行って自身に形成された複数の孔部を通過する空気が前記空気通路に向けて流れることを許容する載置部材を備えたことを特徴とする請求項１に記載の収容庫。
【発明の詳細な説明】
【技術分野】
【０００１】
本発明は、収容庫に関するものである。
【背景技術】
【０００２】
従来、例えばトラック等に積載されて輸送される保冷庫は、保冷庫本体と保冷手段とを備えて構成されている。保冷庫本体は、前面に開口が形成された直方状の断熱構造を有し、下部に配設されたキャスタにより移動可能な本体キャビネットと、この本体キャビネットの前面開口を開閉する断熱扉とを備えている。保冷手段は、蓄冷容器に収納された蓄冷剤により構成されている。
【０００３】
このような保冷庫では、冷凍装置等により蓄冷剤に冷熱を蓄え、この蓄冷剤に蓄えられた冷熱により保冷庫本体の内部を所望の温度に調整して、該内部に収容された商品を冷却するようにしている（例えば、特許文献１参照）。
【先行技術文献】
【特許文献】
【０００４】
【特許文献１】特開２００６−６４３１４号公報
【発明の概要】
【発明が解決しようとする課題】
【０００５】
ところで、上述したような保冷庫では、保冷庫本体を通じての熱侵入により保冷時間の短縮化を招来する虞れがあり、保冷時間の長大化が要請されていた。尚、ここでは蓄冷剤に蓄えさせた冷熱により商品を冷却保温する保冷庫について説明したが、蓄熱剤に蓄えさせた温熱により商品を加熱保温する保温庫においても同様の問題が生ずることはいうまでもない。
【０００６】
本発明は、上記実情に鑑みて、保熱時間の長大化を図ることができる収容庫を提供することを目的とする。
【課題を解決するための手段】
【０００７】
上記目的を達成するために、本発明の請求項１に係る収容庫は、断熱構造の直方体を成し、かつ下部に配設されたキャスタにより移動可能な収容庫本体と、前記収容庫本体の内部の内部雰囲気を蓄熱剤に蓄えられた熱により所望の温度に調整することにより、収容された商品を所定の温度に保持する保熱手段とを備えた収容庫であって、前記収容庫本体の内部において前記商品を収容する収容域を画成するとともに、該収容域と少なくとも２つの前記収容庫本体の内面との間に該収容域に連通する空気通路を画成し、かつ前記収容域では前記蓄熱剤により所望の温度に調整された空気が前記商品に向けて通過することを許容する一方、前記空気通路では商品と熱交換を行った空気が前記蓄熱剤に向けて通過することを許容する風洞構造を備えたことを特徴とする。
【０００８】
また、本発明の請求項２に係る収容庫は、上述した請求項１において、前記風洞構造は、前記商品を載置させるためのものであって、かつ前記収容域にて前記商品と熱交換を行って自身に形成された複数の孔部を通過する空気が前記空気通路に向けて流れることを許容する載置部材を備えたことを特徴とする。
【発明の効果】
【０００９】
本発明によれば、風洞構造が、収容庫本体の内部において商品を収容する収容域を画成するとともに、該収容域と少なくとも２つの収容庫本体の内面との間に該収容域に連通する空気通路を画成し、かつ収容域では蓄熱剤により所望の温度に調整された空気が商品に向けて通過することを許容する一方、空気通路では商品と熱交換を行った空気が蓄熱剤に向けて通過することを許容するので、収容庫本体の内部で内部空気の循環路が形成され、これにより収容庫本体の内面近傍から収容域に向けての内部空気の流れを抑制することができるので、保熱手段による保熱時間の長大化を図ることができるという効果を奏する。
【図面の簡単な説明】
【００１０】
【図１】図１は、本発明の実施の形態である収容庫の内部構造を模式的に示す模式図である。
【図２】図２は、本発明の実施の形態である収容庫の内部構造を側面から見た断面側面図である。
【発明を実施するための形態】
【００１１】
以下に添付図面を参照して、本発明に係る収容庫の好適な実施の形態について詳細に説明する。
【００１２】
図１は、本発明の実施の形態である収容庫の内部構造を模式的に示す模式図であり、図２は、本発明の実施の形態である収容庫の内部構造を側面から見た断面側面図である。ここで例示する収容庫は、内部に収容された商品を所望の温度に冷却した状態に保持するためのもので、収容庫本体１を備えている。
【００１３】
収容庫本体１は、本体キャビネット１０と前面扉５０とを備えて構成されている。本体キャビネット１０は、複数の金属板を適宜組み合わせることによって前面が開口した直方体状に構成されており、その内面に予め板状に成形した図示せぬ断熱ボードが配設されることにより断熱構造を有するものである。断熱ボードは、発泡ウレタン等の断熱材によって成形した板状部材の表裏両面にそれぞれ面材として樹脂フィルムやクラフト紙が貼着されたものである。
【００１４】
このような本体キャビネット１０の下部にはキャスタ１１が配設されており、本体キャビネット１０は移動可能なものである。
【００１５】
上記収容庫本体１における本体キャビネット１０の内部には、収容域本体２０が配設されている。この収容域本体２０は、複数の断熱板を適宜組み合わせることによって構成されたものであり、前面が開口した箱状に構成されている。より具体的には、上壁２１、一対の側壁２２，２３、底壁（載置部材）２４、背壁２５が接合されることによって収容域本体２０が構成されており、これら上壁２１、一対の側壁２２，２３、底壁２４及び背壁２５に囲繞されることで収容域３０が画成されている。また、一対の側壁２２，２３及び背壁２５には、それぞれ底壁２４よりも下方に延在する脚部２６が配設されており、これにより底壁２４と、本体キャビネット１０の底面１４との間には連絡空間３１が形成されている。
【００１６】
上壁２１は、蓄熱器（保熱手段）４０を載置するものである。この上壁２１には、自身の上方空間３２と下方の収容域３０とを連通するための複数の連通孔２１ａが穿設されている。また、上壁２１に載置される蓄熱器４０は、内部に例えば塩水等の蓄冷剤が収容された平板状の複数の伝熱ケース４１が左右方向に沿って空隙（図示せず）を介して並設されることにより構成されている。このような蓄熱器４０は、図には明示しない冷凍装置により伝熱ケース４１の内部の蓄冷剤が凍結されることで、冷熱を蓄えることができる。
【００１７】
一対の側壁２２，２３は、互いの内面が対向するよう配設されているとともに、それぞれの外面が対向する本体キャビネット１０の側面１２，１３との間で空気通路３３，３４を形成している。より詳細に説明すると、左側の側壁２２は、本体キャビネット１０の左側面１２との間に空気通路３３を形成しており、右側の側壁２３は、本体キャビネット１０の右側面１３との間に空気通路３４を形成している。これら一対の側壁２２，２３は、上述したように下方に延在する脚部２６が配設されていることにより、脚部２６間が開放しており、これにより各空気通路３３，３４は、底壁２４の下方に形成された連絡空間３１に連通している。また、各空気通路３３，３４の上方側は、上壁２１の上方空間３２と連通している。
【００１８】
底壁２４は、商品を載置するものである。この底壁２４には、自身の上方の収容域３０と下方の連絡空間３１とを連通するための複数の貫通孔（孔部）２４ａが穿設されている。
【００１９】
背壁２５は、外面が対向する本体キャビネット１０の背面１５との間で空気通路３５を形成している。この背壁２５は、上述したように下方に延在する脚部２６が配設されていることにより、脚部２６間が開放しており、これにより空気通路３５は、底壁２４の下方に形成された連絡空間３１に連通している。また、この空気通路３５の上方側は、上壁２１の上方空間３２と連通している。更に、この空気通路３５は、空気通路３３，３４にも連通している。
【００２０】
前面扉５０は、本体キャビネット１０の前面開口を開閉するための扉体であり、断熱構造を有している。この前面扉５０は、本体キャビネット１０の前面開口を閉成する場合には、収容域本体２０により画成される収容域３０の前面開口を閉塞するものである。この前面扉５０の内部には、連絡通路５１が形成されている。連絡通路５１は、前面扉５０に形成された下方開口５２と上方開口５３とを連通するものである。下方開口５２は、前面扉５０が本体キャビネット１０の前面開口を閉成する場合に、連絡空間３１を望む部位に配設されている。上方開口５３は、前面扉５０が本体キャビネット１０の前面開口を閉成する場合に、上方空間３２を望む部位に配設されている。従って、連絡通路５１は、下方開口５２及び上方開口５３を通じて連絡空間３１と上方空間３２とを連通するものである。
【００２１】
このような構成を有する収容庫においては、前面扉５０が本体キャビネット１０の前面開口を閉成した状態とされる場合、蓄熱器４０における蓄冷剤に蓄えられた冷熱が周囲空気に伝達し、冷熱が伝達された空気が上壁２１の連通孔２１ａを通過して収容域３０に侵入する。
【００２２】
収容域３０に侵入した空気（冷気）は、底壁２４に載置された商品の周囲を通過することで該商品を所望の冷却温度に保持させる。該商品の周囲を通過した空気は、すなわち該商品と熱交換を行った空気は、底壁２４の貫通孔２４ａを通過して連絡空間３１に侵入する。
【００２３】
連絡空間３１に侵入した空気の一部は、空気通路３５又は連絡通路５１に侵入する。空気通路３５に侵入した空気は、収容庫本体１を通じて侵入する外熱に加熱されることで該空気通路３５を上方に向けて通過し、上方空間３２に至って再び蓄熱器４０により冷熱が伝達されて冷却される。
【００２４】
一方、下方開口５２を通じて連絡通路５１に侵入した空気は、前面扉５０を通じて侵入する外熱に加熱されることで該連絡通路５１を上方に向けて通過し、上方開口５３を通じて上方空間３２に至り、再び蓄熱器４０により冷熱が伝達されて冷却される。
【００２５】
このように上記収容庫において、蓄熱器４０に冷却された空気は、下方に向けて流れて収容域３０に侵入し、該収容域３０にて商品を冷却保持させた後、連絡空間３１から空気通路３５又は連絡通路５１を通じて上方空間３２に流れ、蓄熱器４０に再び冷却されるよう循環する。つまり、蓄熱器４０に冷却された空気を収容域３０に侵入させて商品を冷却保持させた後、連絡空間３１から空気通路３５又は連絡通路５１を通じて上方空間３２に向けて通過させて蓄熱器４０に再び冷却させることで、収容域３０→連絡空間３１→空気通路３５又は連絡通路５１→上方空間３２の順に循環させることができる。
【００２６】
従って、上記収容域本体２０は、収容庫本体１の内部において商品を収容する収容域３０を画成するとともに、該収容域３０と収容庫本体１の内面との間に該収容域３０に連通する空気通路３５を画成し、かつ収容域３０では蓄冷剤により所望の温度に冷却された空気が商品に向けて通過することを許容する一方、空気通路３５では商品と熱交換を行った空気が蓄冷剤に向けて通過することを許容する風洞構造を構成している。
【００２７】
以上説明したように、本発明の実施の形態である収容庫によれば、収容域３０では蓄冷剤により所望の温度に冷却された空気が商品に向けて通過することを許容する一方、空気通路３５又は連絡通路５１では商品と熱交換を行った空気が蓄冷剤に向けて通過することを許容するので、収容庫本体１の内部で内部空気の循環路が形成され、これにより収容庫本体１の内面近傍から収容域３０に向けての内部空気の流れを抑制することができるので、蓄熱器４０による保冷時間（保熱時間）の長大化を図ることができる。
【００２８】
以上、本発明の好適な実施の形態について説明したが、本発明はこれらに限定されるものではなく、種々の変更を行うことができる。
【００２９】
上述した実施の形態では、収容域本体２０と、本体キャビネットの両側面１２，１３及び背面１５との間で空気通路３３，３４，３５を形成していたが、本発明においては、風洞構造は、少なくとも２つの収容庫本体の内面との間で収容域に連通する空気通路を形成できればよい。
【００３０】
上述した実施の形態では、前面扉５０に連絡通路５１を形成していたが、本発明においては、かかる連絡通路５１は必須の構成要素ではなく、なくても構わない。また、収容域の前方側に連絡通路を形成する場合には、扉体（前面扉）の内部に形成せずに、扉体を二重扉構造とし、これら二重扉の間に連絡通路を形成するようにしてもよい。
【００３１】
上述した実施の形態では、密度差を利用して収容庫の内部空気を自然循環させるようにしていたが、本発明においては、空気通路等にファンを設けることにより、該ファンの駆動により強制的に内部空気を循環させるようにしても良い。
【符号の説明】
【００３２】
１  収容庫本体
１０  本体キャビネット
１１  キャスタ
２０  収容域本体
２１  上壁
２１ａ  連通孔
２２  側壁
２３  側壁
２４  底壁（載置部材）
２４ａ  貫通孔（孔部）
２５  背壁
３０  収容域
３１  連絡空間
３２  上方空間
３３  空気通路
３４  空気通路
３５  空気通路
４０  蓄熱器（保熱手段）
５０  前面扉
５１  連絡通路
５２  下方開口
５３  上方開口
【図１】
2014206289.tif 000003
【図２】
2014206289.tif 000004